(57)【要約】【課題】  従来のライティングダクト及び照明器具をそのまま使用しつつ、リモコン制御機能を付加することができる、従来システムと互換性の高いフィードインボックス型のリモコン受信装置を提供する。【課題手段】  内部に長手方向に沿って電源供給用の一対の線状導体２３が平行に敷設されたライティングダクト１の端部に装着されるフィードインボックス型のリモコン受信装置３である。リモコン受信装置３は、電源線を導入する電源線導入部３５と、ライティングダクト１の端部に挿入されて一対の線状導体２３と電気的に接続される挿入端子部３２と、リモコン送信機からの無線信号を受信するリモコン受信部３６と、このリモコン受信部３６で受信された受信信号に基づいて電源線導入部３５に導入された電源線と挿入端子部３２とを接続するスイッチ手段とを備えている。【選択図】  図２
2005346958.tif 000002
【特許請求の範囲】
【請求項１】
内部に長手方向に沿って電源供給用の一対の線状導体が平行に敷設されたライティングダクトの端部に装着されるフィードインボックス型のリモコン受信装置であって、
電源線を導入する電源線導入部と、
前記ライティングダクトの端部に挿入されて前記一対の線状導体と電気的に接続される挿入端子部と、
リモコン送信機からの無線信号を受信するリモコン受信手段と、
このリモコン受信手段で受信された受信信号に基づいて前記電源線導入部に導入された電源線と前記挿入端子部とを接続するスイッチ手段と
を備えてなることを特徴とするフィードインボックス型のリモコン受信装置。
【請求項２】
調光手段を更に備え、
前記スイッチ手段は、前記電源線に代えて前記調光手段の出力と前記挿入端子部とを接続する
ことを特徴とする請求項１記載のリモコン受信装置。
【発明の詳細な説明】
【技術分野】
【０００１】
本発明は、天井等に照明の給電用に設置されたライティングレールに装着されるフィードインボックス型のリモコン受信装置に関する。
【背景技術】
【０００２】
従来より、照明器具の取付位置を自由に設定できるものとして、ライティングダクトが使用されている。ライティングダクトは、天井面などに取り付けられ、端部に給電用のフィードインボックスを挿入して給電を行っている。従来、この種のライティングダクトに接続される複数の照明器具をワイヤレス制御することは特許文献１に開示されている。この特許文献１に開示された技術では、照明器具毎にリモコン受信部を備えており、照明器具毎にリモコン制御のための降圧トランスや整流器等を設けることを避けるために、ライティングダクトに商用電源を直接供給するのではなく、降圧された直流電源を供給するようにしている。
【特許文献１】特開平５−０４７４７６号  段落０００１〜０００３、００１５、００１８、図１、図４
【発明の開示】
【発明が解決しようとする課題】
【０００３】
しかしながら、上述した特許文献１に開示された照明システムでは、照明器具毎にリモコン受信機を備える必要があるため、通常の照明器具を使用することができない。特許文献１には、リモコン受信機能付きのアダプタを介して通常の照明器具を使用する例も開示されているが、複数の照明器具のそれぞれにアダプタを使用しなければならならいという問題がある。
【０００４】
本発明は、このような点に鑑みなされたもので、従来のライティングダクト及び照明器具をそのまま使用しつつ、リモコン制御機能を付加することができる、従来システムと互換性の高いフィードインボックス型のリモコン受信装置を提供することを目的とする。
【課題を解決するための手段】
【０００５】
本発明に係るフィードインボックス型のリモコン受信装置は、内部に長手方向に沿って電源供給用の一対の線状導体が平行に敷設されたライティングダクトの端部に装着されるフィードインボックス型のリモコン受信装置であって、電源線を導入する電源線導入部と、前記ライティングダクトの端部に挿入されて前記一対の線状導体と電気的に接続される挿入端子部と、リモコン送信機からの無線信号を受信するリモコン受信手段と、このリモコン受信手段で受信された受信信号に基づいて前記電源線導入部に導入された電源線と前記挿入端子部とを接続するスイッチ手段とを備えてなることを特徴とする。
【０００６】
本発明の一つの実施形態においては、調光手段を更に備え、前記スイッチ手段は、前記電源線に代えて前記調光手段の出力と前記挿入端子部とを接続する。
【発明の効果】
【０００７】
本発明によれば、ライティングダクトに電源電圧を供給するフィードインボックスと同様のリモコン受信装置であるから、ライティングダクト及び照明器具は、何ら従来のものと変更を要することなく、リモコン制御機能を付加することができる。
【０００８】
調光手段を更に備えるようにすれば、ライティングダクトに接続された従来の調光機能を持たない複数の照明器具の全てを調光制御することができるので、照明条件を大幅に拡大することができる。
【発明を実施するための最良の形態】
【０００９】
以下、添付の図面を参照して、この発明の実施形態を説明する。
【００１０】
図１は本発明の一実施形態に係るリモコン受信装置を使用した照明システムの斜視図、図２はリモコン受信装置をフィードインキャップと比較して示した斜視図である。
【００１１】
本実施形態の照明システムは、レール状に延びるライティングダクト１と、このライティングダクト１の中央部に固定された円板状のフランジ２と、ライティングダクト１の一方に装着されたリモコン受信装置３と、ライティングダクト１の他端に装着されたエンドキャップ４と、リモコン受信装置３から延びる電源コード５の端部に設けられた引っ掛けシーリングキャップ６と、ライティングダクト１の両端の天井側に装着されたアジャスタ７と、ライティングダクト１に取り付けられる図示しない複数の照明器具とを備えて構成されている。
【００１２】
天井には、環状の取付金具８が固定されており、天井に配置された図示しない引っ掛けシーリングボディに引っ掛けシーリングキャップ６を接続し、取付金具８のボルト９と、ローレットナット１０とでフランジ２を固定し、アジャスタ７によってライティングダクト１と天井面との間隔を調整することにより、この照明システムは、天井面に据え付けられる。
【００１３】
ライティングダクト１は、図２に示すように、断面がほぼコの字状でレール状に延びるダクト本体２１と、このダクト本体２１の内部に両側壁内面を長手方向にそれぞれ沿って装着された絶縁体からなる一対の導体支持部材２２と、この導体支持部材２２に支持されて長手方向に沿って敷設された給電用の線状導体２３とを備えて構成されている。ダクト本体２１は、例えばアルミ等の金属か樹脂で形成されている。ダクト本体２１が樹脂製の場合には、導体支持部材２２を省略して線状導体２３を直接支持することができる。
【００１４】
リモコン受信装置３は、図２に示すように、従来使用されていた電源供給用のフィードインキャップ１１に代えてライティングダクト１の端部に挿入されるもので、本体部３１と、挿入端子部３２とからなり、挿入端子部３２がフィードインキャップ１１の挿入端子部１２と互換性を有するものとなっている。挿入端子部３２は、平板状の端子支持板３３と、この端子支持板３３の側面にそれぞれ挿入方向に沿って配置されて、ライティングダクト１の線状導体２３と接触する線状端子３４とを備える。本体部３１には、天井側に電源線導入部３５が配置され、下側にリモコン受信部３６、スイッチ３７ａ，３７ｂ，３７ｃ及びブザー３８が配置されている。
【００１５】
図３は、このリモコン受信装置３の回路図である。
【００１６】
屋内に配線されたＡＣ１００Ｖの電源線４１から電源コード５を介して電源線導入部３５に導入された電源電圧は、半導体スイッチ４２を介して線状端子３４に接続されるようになっている。制御回路４３は、スイッチ３７ａ〜３７ｃのオンオフ状態によって内部の動作モードを切り替える。例えばスイッチ３７ａは、ブザー４４のオンオフを切り替えるスイッチで、このスイッチ３７ａがオン状態のときには、制御回路４３は、リモコン操作に応答して適宜ブザー３８を鳴らす。スイッチ３７ｂは、例えば受信チャンネルを切り替えるスイッチで、制御回路４３は、リモコン送信機４５から受信可能な赤外線送信信号をチャンネル１と２とで切り替える。スイッチ３７ｃは、例えば調光制御とオンオフ制御とを切り替えるスイッチで、制御回路４３は、調光制御時には、調光回路４６をアクティブにして、リモコン送信機４５からの指令に基づき電源電圧を位相制御等により調整し、オンオフ制御時には、調光回路４６を非出力状態とする。半導体スイッチ４２は、制御回路４３からの制御信号によって、線状端子３４に電源電圧をそのまま供給するか、調光回路４６の出力を供給するか、電源オフ状態にするかを切り替える。なお、図示しない電源ランプによって、ライティングダクト１への電圧供給状態を点灯、非点灯、点灯色等で表示するようにしても良い。
【００１７】
この照明システムによれば、フィードインキャップ１１を本実施形態のリモコン受信装置３に交換するだけで、他の構成要素を一切変えずに、調光機能を含むリモコン機能を付加することができる。
【図面の簡単な説明】
【００１８】
【図１】本発明の一実施形態に係るフィードインボックス型のリモコン受信装置を備えた照明システムの一部分解斜視図である。
【図２】同リモコン受信装置の拡大斜視図である。
【図３】同リモコン受信装置の回路図である。
【符号の説明】
【００１９】
１…ライティングダクト、２…フランジ、３…リモコン受信装置、４…エンドキャップ、５…電源コード、６…引っ掛けシーリングキャップ、７…アジャスタ、８…取付金具、１１…フィードインキャップ、２１…ダクト本体、２２…導体支持部材、２３…線状導体、３１…本体部、３２…挿入端子部、３３…端子支持部、３４…線状端子、３５…電源線導入部、３６…リモコン受信部、３７ａ〜３７ｃ…スイッチ、３８…ブザー、４２…リレースイッチ、４３…制御回路、４５…リモコン送信機、４６…調光回路。
【図１】
2005346958.tif 000003
【図２】
2005346958.tif 000004
【図３】
2005346958.tif 000005